(57)【特許請求の範囲】
【請求項１】
本体に移動自在に設けられ、該本体の一部を開閉するように閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする緩衝装置。
【請求項２】
前記作動部材は回動自在に設けられ、前記作動部材の前記初期開放位置から前記閉位置への回動に伴いほぼ円弧状に形成されるほぼ円弧部が前記ピニオンと係合し、前記作動部材の前記閉位置から前記初期開放位置への回動に伴い前記ほぼ円弧部が前記ピニオンを係合支持することにより該ピニオンの回転位置が保持され、前記作動部材に対する前記ダンパによる緩衝動作が防止されることを特徴とする請求項１に記載の緩衝装置。
【請求項３】
前記作動部材は摺動自在に設けられ、前記作動部材の前記初期開放位置から前記閉位置への摺動に伴い前記作動部材の移動方向を法線方向とする前記規制部の側面の段部と前記ピニオンとが係合し、前記作動部材の前記閉位置から前記初期開放位置への摺動に伴い前記規制部の側面の段部から前記ピニオンが離間することにより前記作動部材に対する前記ダンパによる緩衝動作が防止されることを特徴とする請求項１に記載の緩衝装置。
【請求項４】
前記本体内部に設けられ、ディスクが装着されるターンテーブルと、
前記ターンテーブルに装着されるディスクから情報を読出すとともに再生する再生部と、
前記再生部を開閉するように前記本体に回動自在に設けられる前記作動部材としての蓋部を開放方向に回動付勢する付勢部材と、
前記蓋部に設けられ、該蓋部が閉蓋されるときに前記ディスクを前記ターンテーブルとともに挟持するチャッキングプレートと、
前記ターンテーブルおよび前記チャッキングプレートの内の少なくとも何れか一方に設けられる吸引手段と、
を備え、前記作動部材としての前記蓋部が閉蓋位置から開放位置に開蓋されることによる該蓋部の前記閉位置から前記初期開放位置への回動の間に、前記吸引手段の吸引力に応じた前記ターンテーブルと前記チャッキングプレートとによる前記ディスクの挟持力に抗して前記付勢部材による付勢力により前記蓋部が開蓋され前記チャッキングプレートが前記挟持されるディスクから離間されることを特徴とする請求項１または請求項２に記載の緩衝装置。
【請求項５】
本体に設けられ、装着されたディスクから信号を読出す再生部と、
本体に移動自在に設けられ、該本体の前記再生部を開閉するように閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする再生装置。
【請求項６】
本体に移動自在に設けられ、閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、
前記作動部材は、ディスク載置部を有し、該ディスク載置部に載置されるディスクを装填位置と再生位置とに亘って搬送するテーブルであり、前記テーブルにより前記再生位置に搬送されたディスクから情報を読出すとともに再生する再生部を備え、
前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする再生装置。
【発明の詳細な説明】
【０００１】
【発明の属する技術分野】
本発明は緩衝装置および緩衝装置を有する再生装置に係り、とくに扉や蓋体の回動運動あるいはスライドテーブル等の摺動運動を作動範囲を限定して緩衝するようにした緩衝装置および緩衝装置を有する再生装置に関する。
【０００２】
【従来の技術】
例えばラジオ付きカセット式テープレコーダ（通称ラジカセ）においては、その上部にＣＤプレーヤが設けられている。ＣＤプレーヤは回動可能な蓋体を備え、その中にコンパクトディスク（ＣＤ）を装着して回転させながらコンパクトディスクに記録されている信号を読出し、音楽を再生するようにしたものである。このようなＣＤプレーヤの蓋体はばねによって開く方向に付勢されている。従ってロックを外すと上記のばねによって自動的に蓋体が開かれることになる。
【０００３】
ところがＣＤプレーヤにおいては、チャッキングマグネットを有し、このマグネットの磁力を利用してコンパクトディスクをターンテーブルに押えるようにしている。このようなチャッキングマグネットを有するチャッキングプレートは蓋体の下側に保持されており、蓋体を開くときに上記のコンパクトディスクの押圧を解除するようにしていた。
【０００４】
【発明が解決しようとする課題】
このようにチャッキングマグネットを有する蓋体を有するＣＤプレーヤにおいては、蓋体を開くための力の他にチャッキングプレートをターンテーブルから離す力を必要としていた。
【０００５】
そこで蓋体を開くために要する力よりも大きな力を有するばねを用いるようにしていた。ところがこのような強いばねを用いると蓋体に大きな力が加わって変形等の原因になっていた。さらにはスプリング欠損の原因ともなっている。またあまり強いばねを用いると、蓋体の開放動作を緩衝するダンパの力が弱い場合には、蓋体が開く速度が早くなりすぎる問題があった。
【０００６】
このような不都合を解消するために、例えばチャッキング用のマグネットの解除のために蓋体が開く初期の位置でのみ作用する補助ばねを設けることも考察されるが、このような構造をとると部品点数が増加する欠点がある。またこのような補助ばねはスペースの制約を生ずる問題があった。
【０００７】
補助ばねを用いる代りに強制開放機構を蓋体に取付けることも考察されるが、このような対策はさらに部品点数の増加につながる。またこのような対策を行なうとよりスペースが増大する問題がある。
【０００８】
本発明はこのような問題点に鑑みてなされたものであって、補助ばねを用いたり強制開放機構を付加することなく、しかも円滑に回動動作あるいは摺動動作が行ない得るようにした緩衝装置および緩衝装置を有する再生装置を提供することを目的とするものである。
【０００９】
【課題を解決するための手段】
第１の発明は、本体に移動自在に設けられ、該本体の一部を開閉するように閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする緩衝装置に関するものである。
【００１０】
第２の発明は上記第１の発明において、前記作動部材は回動自在に設けられ、前記作動部材の前記初期開放位置から前記閉位置への回動に伴いほぼ円弧状に形成されるほぼ円弧部が前記ピニオンと係合し、前記作動部材の前記閉位置から前記初期開放位置への回動に伴い前記ほぼ円弧部が前記ピニオンを係合支持することにより該ピニオンの回転位置が保持され、前記作動部材に対する前記ダンパによる緩衝動作が防止されることを特徴とする緩衝装置に関するものである。
【００１１】
第３の発明は上記題１の発明において、前記作動部材は摺動自在に設けられ、前記作動部材の前記初期開放位置から前記閉位置への摺動に伴い前記作動部材の移動方向を法線方向とする前記規制部の側面の段部と前記ピニオンとが係合し、前記作動部材の前記閉位置から前記初期開放位置への摺動に伴い前記規制部の側面の段部から前記ピニオンが離間することにより前記作動部材に対する前記ダンパによる緩衝動作が防止されることを特徴とする緩衝装置に関するものである。
【００１２】
第４の発明は上記第１または第２の発明において、前記本体内部に設けられ、ディスクが装着されるターンテーブルと、
前記ターンテーブルに装着されるディスクから情報を読出すとともに再生する再生部と、
前記再生部を開閉するように前記本体に回動自在に設けられる前記作動部材としての蓋部を開放方向に回動付勢する付勢部材と、
前記蓋部に設けられ、該蓋部が閉蓋されるときに前記ディスクを前記ターンテーブルとともに挟持するチャッキングプレートと、
前記ターンテーブルおよび前記チャッキングプレートの内の少なくとも何れか一方に設けられる吸引手段と、
を備え、前記作動部材としての前記蓋部が閉蓋位置から開放位置に開蓋されることによる該蓋部の前記閉位置から前記初期開放位置への回動の間に、前記吸引手段の吸引力に応じた前記ターンテーブルと前記チャッキングプレートとによる前記ディスクの挟持力に抗して前記付勢部材による付勢力により前記蓋部が開蓋され前記チャッキングプレートが前記挟持されるディスクから離間されることを特徴とする緩衝装置に関するものである。
【００１３】
第５の発明は、本体に設けられ、装着されたディスクから信号を読出す再生部と、
本体に移動自在に設けられ、該本体の前記再生部を開閉するように閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする再生装置に関するものである。
第６の発明は、本体に移動自在に設けられ、閉位置、初期開放位置、および開放位置に亘って移動される作動部材と、
前記作動部材に形成されるギヤ部と、
前記ギヤ部の一部に形成される欠歯部と、
前記作動部材の移動を緩衝するダンパと、
前記ダンパの出力端に設けられ、かつ前記ギヤ部と噛合うピニオンと、
前記ギヤ部の前記欠歯部を挟んで前記ギヤ部の歯と対向するように前記欠歯部の終端の位置に形成された段部であって、前記作動部が閉位置であるときに前記欠歯部に対向することにより前記ギヤ部の歯との噛合いから外れた前記ピニオンの歯に係合されることにより該ピニオンの回転を規制する規制部と、
を備え、
前記作動部材は、ディスク載置部を有し、該ディスク載置部に載置されるディスクを装填位置と再生位置とに亘って搬送するテーブルであり、前記テーブルにより前記再生位置に搬送されたディスクから情報を読出すとともに再生する再生部を備え、
前記作動部材が前記規制部と前記ピニオンの歯とが係合される前記閉位置から前記ギヤ部の歯と前記ピニオンの歯とが噛合う初期開放位置まで移動される間は前記作動部材に対する前記ダンパによる緩衝動作が防止されることを特徴とする再生装置に関するものである。
【００１４】
【作用】
第１の発明によれば、作動部材が規制部とピニオンの歯とが係合される閉位置からギヤ部の歯とピニオンの歯とが噛合う初期開放位置まで移動される間は作動部材に対するダンパによる緩衝動作が防止される。
【００１５】
第２の発明によれば、作動部材が閉位置から初期開放位置へ回動される際にほぼ円弧部がピニオンを係合支持してピニオンの回転位置が保持され、しかも作動部材に対するダンパによる緩衝動作が防止される。
【００１６】
第３の発明によれば、作動部材の閉位置から初期開放位置への摺動に伴い規制部の側面の段部からピニオンが離間することによって作動部材に対するダンパによる緩衝動作が防止される。
【００１７】
第４の発明によれば、蓋部が閉位置から開放方向に開蓋されることによる該蓋部の閉位置から初期開放位置への回動の間に、吸引手段の吸引力に応じたターンテーブルとチャッキングプレートとによるディスクの挟持力に抗して付勢部材による付勢力により蓋部が開蓋されチャッキングプレートが挟持されるディスクから離間される。
【００１８】
第５の発明によれば、作動部材が規制部とピニオンの歯とが係合される閉位置からギヤ部の歯とピニオンの歯とが噛合う初期開放位置まで移動される間は作動部材に対するダンパによる緩衝動作が防止される。
第６の発明によれば、テーブルによってディスクが再生位置に搬送されると再生部がディスクから情報を読出して再生する。
【００１９】
【実施例】
実施例の説明に先立って実施例を案出する過程で創出された第１の参考例を図１〜図７によって説明する。図１は本参考例に係る作動範囲限定緩衝装置を有するラジオ付きカセット式テープレコーダを示すものであって、このカセット式テープレコーダはアンプを内蔵するチューナ１０をその中央部であって上側に備えている。そしてチューナ１０の下側には左右一対のカセットデッキ１１が設けられている。またチューナ１０の上部にはＣＤプレーヤ１２が配されている。また両側にはそれぞれスピーカボックス１３が取付けられている。
【００２０】
図２は上記ＣＤプレーヤ１２の蓋体１７の構造を示すものであって、ＣＤプレーヤ１２のコンパクトディスクの装着位置を開閉可能に覆うように設けられている蓋体１７は側板１８を備えるとともに、この側板１８の部分に植設されている支点ピン１９によって回動可能に支持されている。そして支点ピン１９に巻付けられている付勢ばね２０によって蓋体１７は開く方向に回動付勢されている。
【００２１】
上記蓋体１７はポリスチレンから成る成形体であって、その下部には保持リング２３が一体に設けられている。そして保持リング２３によってチャッキングプレート２４を吊下げた状態で保持するようにしている。チャッキングプレート２４はその中央部にマグネットを備えるとともに、ターンテーブル２５に対してコンパクトディスクを押えるようにしている。
【００２２】
上記蓋体１７の側板１８の下端側の円弧状の部分にはセグメントギヤ２８が一体に設けられている。そしてこのセグメントギヤ２８の一端側が欠歯部２９になっている。そしてセグメントギヤ２８はダンパ３０の出力端に設けられているピニオン３１と噛合うようになっている（図３参照）。
【００２３】
図４および図５は上記ダンパ３０の構造を示している。フレーム３４には一対のリング状突起３５、３６が同心円状に形成されている。また内側のリング状突起３６の内側中心部には支軸３７が突設されている。そしてリング状突起３５、３６をそれぞれ受入れるための条溝３９、４０がピニオン３１の側端面にそれぞれ形成されている。そして条溝３９、４０とリング状突起３５、３６との間にはグリースが介在され、さらに支軸３７の周囲にもグリースが塗布されている。このようなグリースの粘性によってダンパ３０が緩衝動作を行なうようにしている。
【００２４】
以上のような構成において、図２および図３に示すように、蓋体１７が水平な状態、すなわちＣＤプレーヤ１２のコンパクトディスク装着部を閉じている状態においては、とくに図３に拡大して示すように、ダンパ３０のピニオン３１はセグメントギヤ２８から離脱し、欠歯部２９に対向している。従ってこの場合には、蓋体１７はダンパ３０の緩衝作用を受けない。
【００２５】
蓋体１７を開放しようとしてこの蓋体１７の上面に設けられている押圧部４１を押圧すると、プッシュ・プッシュ式のロック装置のロックが解除される。そしてこの後さらにチャッキングプレート２４がターンテーブル２５から離脱する。この後に図６および図７に示すように、ダンパ３０のピニオン３１がセグメントギヤ２８の欠歯部２９から離脱し、セグメントギヤ２８に噛合うようになる。すなわちチャッキングプレート２４に取付けられているマグネットの磁力によるチャッキングの解除の後にダンパ３０の緩衝動作が行なわれることになる。
【００２６】
このように本参考例のラジオ付きカセット式テープレコーダにおいては、ＣＤプレーヤ１２の蓋体１７は保持リング２３を介してチャッキングプレート２４を吊下げた状態にあり、しかも蓋体１７が閉じられていると、そのダンパ３０のピニオン３１も欠歯部２９によってセグメントギヤ２８とは噛合っていない状態にある。このような状態で蓋体１７を開くと、チャッキングプレート２４の中央部に設けられているマグネットによってターンテーブル２５に吸着されていたチャッキングプレート２４が蓋体１７とともに引上げられ、ターンテーブル２５から離れる。
【００２７】
そしてこの後にダンパ３０のピニオン３１がセグメントギヤ２８に噛合うようになるために、チャッキングプレート２４のマグネットがターンテーブルから離れるときに、ダンパ３０によって付勢ばねの弾性復元力が消費されることがなくなる。従ってとくに蓋体１７の開放の初期の段階においてチャッキングプレート２４をターンテーブル２５から離すために大きな力を発生させるばねを用いたり、補助ばねを付加したりする必要がなく、あるいはまた強制開放機構を付加する必要がなくなる。
【００２８】
そして弱い付勢ばね２０によって蓋体１７の開放を行なうことが可能になるために、付勢ばね２０の欠損の危険性を防止することが可能になるとともに、付勢ばね２０による周辺部品の変形を軽減することが可能になる。
【００２９】
次に本発明の第１の実施例を図８〜図１１によって説明する。なおここで上記第１の参考例と対応する部分については同一の符号を付すとともに上記参考例の説明を援用する。この実施例においては、蓋体１７の側板１８のセグメントギヤ２８の一端の欠歯部２９の終端側に回転規制部４３を形成するようにしたものである。回転規制部４３はピニオン３１がセグメントギヤ２８から外れた場合に、ピニオン３１の歯間に挿入され、これによってピニオン３１が自由に回転するのを防止するためのものである。
【００３０】
セグメントギヤ２８に欠歯部２９を設け、これによって蓋体１７の開放の初期にダンパ３０の緩衝動作が作用しないようにすると、チャッキングプレート２４のマグネットをターンテーブル２５から離脱させる際に付勢ばね２０の力を有効に利用することが可能になる。ところが何かの拍子にダンパ３０のピニオン３１が回転してしまうと、セグメントギヤ２８の歯４５に対してピニオン３１の歯４６がぶつかることになり、これによって蓋体１７の開放動作が阻害される可能性がある。
【００３１】
そこで回転規制部４３を設けておき、この回転規制部４３をピニオン３１の歯の間に挿入することによって、ピニオン３１の回転位置を保持するようにしている。このような回転規制部４３によって、図１０および図１１に示すように、蓋体１７の側板１８に設けられているセグメントギヤ２８とダンパ３０のピニオン３１とがスムーズに噛合うようになる。
【００３２】
また本実施例においては、図１に示す蓋体１７の押圧部４１を押圧することによって解除されるプッシュ・プッシュ式のロック機構を蓋体１７の保持に用いるようにしている。このような場合に、図９に示す歯４５、４６間のクリアランスを拡大することが可能になり、これによってより安定な蓋体１７の開放動作が可能になる。
【００３３】
このように通常は噛合った状態で用いられるセグメントギヤ２８とピニオン３１との作動範囲中に噛合いのない範囲を設定するための欠歯部２９をセグメントギヤ２８に設けるようにし、しかもピニオン３１の動きを回転規制部４３によって規制し、噛合い範囲へ図１１に示すように再突入する際に回転規制部４３の規制によって正規の噛合いを保証できるようにしている。しかも蓋体１７の開放動作の際に一旦押込み動作を必要とする場合における歯４５、４６間のクリアランスを広げることを可能にしている。
【００３４】
従ってセグメントギヤ２８とピニオン３１とが欠歯部２９によって噛合いから外れても容易に噛合い範囲に突入することを確実に保証することができ、これによって動作範囲内に噛合いのない範囲を設定できるようになる。このことから、セグメントギヤ２８によるダンパ３０の駆動の断続を、クラッチや軸の移動等の複雑な機構を用いることなく行なうことが可能になる。
【００３５】
図１２および図１３は第２の参考例を示している。この参考例はカセットデッキ１１のカセット蓋５０の回動運動に用いられている作動範囲限定緩衝装置に関するものである。カセット蓋５０は支軸５１を中心として回動可能に支持されるとともに、このカセット蓋５０の内側がカセットホルダを構成しており、テープカセット５２を保持するようにしている。そしてこのカセット蓋５０の側板１８の円弧状の先端部にセグメントギヤ２８が形成されるとともに、このセグメントギヤ２８の先端部が欠歯部２９に構成されている。そしてセグメントギヤ２８に噛合うようにダンパ３０にピニオン３１が設けられている。
【００３６】
カセット蓋５０は図外の付勢手段によって図１２および図１３において開く方向、すなわち支軸５１を中心として反時計方向に回動付勢されている。そして図１２から明らかなように、カセット蓋５０が完全に閉じられた状態においては、ダンパ３０のピニオン３１はセグメントギヤ２８から外れ、欠歯部２９と対向している。そしてこのときにはテープカセット５２の先端部が押えばね５３によって押えられるようになっている。
【００３７】
従ってカセット蓋５０を開くときにはとくにその初期の段階で押えばね５３から離脱させる必要がある。このような押えばね５３からの離脱を行なうカセット蓋５０の初期の段階においては、ダンパ３０のピニオン３１が欠歯部２９に対向しているために、ダンパ３０の緩衝機能が作用しない。すなわち押えばね５３から離脱する際にカセット蓋５０を開放する方向に付勢するばねの弾性復元力がダンパ３０によって吸収されることがなく、これによって押えばね５３から容易に離脱させることが可能になる。
【００３８】
従ってカセット蓋５０を開放するための付勢ばねとして弱いばねを用いることが可能になり、ばねの欠損の危険性を低くすることが可能になるとともに、周辺部品の変形を軽減できるようになる。また補助ばねを用いたり他の強制開放機構を付加する必要がなくなる。
【００３９】
図１４および図１５は上記第２の参考例を発展させた第２の実施例を示している。この実施例においては、カセット蓋５０の側板１８のセグメントギヤ２８の終端の欠歯部２９の端部に臨むように回転規制部４３を設け、欠歯部２９によってピニオン３１がセグメントギヤ２８から外れた場合に、ピニオン３１の回転を回転規制部４３によって規制するようにしている。
【００４０】
従ってカセット蓋５０の開放の初期において、ダンパ３０による緩衝動作を防止することが可能になり、押えばね５３からの離脱が確実に行なわれる。しかも図１５に示すように噛合い範囲に突入する際に、ピニオン３１とセグメントギヤ２８とが確実に噛合うようになり、以降の安定な動作が可能になる。
【００４１】
図１６〜図１８は第３の参考例を示している。この参考例はＣＤプレーヤ５７のスライドテーブル５８に作動範囲限定緩衝装置を設けたものである。すなわちＣＤプレーヤ５７のスライドテーブル５８には図１７に示すようにその下面にラックギヤ６０が設けられるとともに、このラックギヤ６０と噛合うピニオン３１を有するダンパ３０が設けられており、このダンパ３０によってスライドテーブル５８の摺動運動を緩衝するようにしている。しかもラックギヤ６０の端部には欠歯部２９が設けられており、スライドテーブル５８が完全に挿入されると図１７に示すようにピニオン３１は欠歯部２９によってラックギヤ６０から離れるようになっている。
【００４２】
従ってこのスライドテーブル５８を引出す際に、その初期の段階においてはダンパ３０の緩衝作用を受けることなくスライドテーブル５８が図外の付勢手段によって押出されるようになる。そして所定のストローク押出されたところで図１８に示すようにダンパ３０のピニオン３１とラックギヤ６０とが噛合い、以降はスライドテーブル５８の引出し動作がダンパ３０によって緩衝されることになる。従ってスライドテーブル５８を引出す方向に付勢するばねとして弱いばねを用いることが可能になり、ばねの欠損等の危険性を低くすることが可能になるとともに、補助ばねを付加したり、強制開放機構を付ける必要がなくなる。
【００４３】
図１９および図２０は上記第３の参考例を発展させた第３の実施例を示している。この実施例においては、スライドテーブル５８の下面に設けられているラックギヤ６０の終端に欠歯部２９を設けるとともに、この欠歯部２９の一部に回転規制部４３を形成し、ラックギヤ６０からピニオン３１が外れて欠歯部２９と対向したときに、ピニオン３１の回転を回転規制部４３によって規制するようにしたものである。
【００４４】
従ってスライドテーブル５８を引出す方向に動かし、ピニオン３１とラックギヤ６０とが噛合う位置へ再突入した場合に、このピニオン３１とラックギヤ６０との噛合いを円滑に行ない得るようになる。従ってピニオン３１の歯とラックギヤ６０の歯とが互いにぶつかり合ってスライドテーブル５８が引出されなくなることを防止することが可能になる。
【００４５】
【発明の効果】
第１の発明によれば、作動部材が規制部とピニオンの歯とが係合される閉位置からギヤ部の歯とピニオンの歯とが噛合う初期開放位置まで移動される間は作動部材に対するダンパによる緩衝動作が防止されるように構成されているために、作動部材が閉位置から初期開放位置に至る間においてダンパによる緩衝作用を受けることなく作動部を開放させることができ、余分な力を必要とすることなく作動部材を開放させることが可能になる。
【００４６】
第２の発明は、規制部の一部が作動部材の回動支点をほぼ中心としたほぼ円弧状に形成されるほぼ円弧部になっている。従って作動部材の初期開放位置から閉位置への開閉動に伴いほぼ円弧部がピニオンを係合支持することによってダンパの回転位置を保持することができ、作動部材が閉位置から初期開放位置まで回動される間は作動部材に対するダンパによる緩衝動作が防止される。
【００４７】
第３の発明によれば、作動部材の閉位置から初期開放位置への摺動に伴い、規制部の側面の段部からピニオンが離間する。従って作動部材が閉位置から初期開放位置へ摺動されるときに、ダンパの回転方向には力が働かないために、外乱が存在しない限りはダンパの回転位置を保持することができ、作動部材が閉位置から初期開放位置まで回転される間は作動部材に対するダンパによる緩衝動作が防止される。
【００４８】
第４の発明によれば、蓋部が閉位置に位置するときに記録媒体は保持部によって保持されているが、蓋部が閉位置から初期開放位置まで移動される間はダンパによる緩衝動作が防止されるために、蓋部開放初期においては保持部により生ずる保持力に抗するのみで蓋部を開放することができる。
【００４９】
第５の発明によれば、作動部材が規制部とピニオンの歯とが係合される閉位置からギヤ部の歯とピニオンの歯とが噛合う初期開放位置まで移動される間は作動部材に対するダンパによる緩衝動作が防止されるように構成されているために、作動部材が閉位置から初期開放位置に至る間においてダンパによる緩衝作用を受けることなく作動部を開放させることができ、余分な力を必要とすることなく作動部材を開放させることが可能になる。
第６の発明は、テーブルによって再生位置にディスクが搬送されたときに再生部で情報を読出して再生するように構成されており、上記テーブルが閉位置から初期開放位置に至る間においてダンパによる緩衝動作を受けることなく作動部を開放させることができ、余分な力を必要とすることなくテーブルを開放させることが可能になる。
【図面の簡単な説明】
【図１】参考例の作動範囲限定緩衝装置を有するラジオ付きカセット式テープレコーダの外観斜視図である。
【図２】ＣＤプレーヤの蓋体の縦断面図である。
【図３】同要部側面図である。
【図４】ダンパの分解斜視図である。
【図５】ダンパの縦断面図である。
【図６】蓋体を開いた状態の縦断面図である。
【図７】同要部拡大側面図である。
【図８】第１の実施例の蓋体の縦断面図である。
【図９】同要部拡大側面図である。
【図１０】蓋体の開放動作を示す縦断面図である。
【図１１】開放動作を示す側面図である。
【図１２】第２の参考例を示すカセット蓋の側面図である。
【図１３】同開放動作を示す側面図である。
【図１４】第２の実施例のカセット蓋の側面図である。
【図１５】同開放動作を示す側面図である。
【図１６】第３の参考例に係るＣＤプレーヤの外観斜視図である。
【図１７】同ＣＤプレーヤのスライドテーブルの側面図である。
【図１８】同スライドテーブルの摺動動作を示す側面図である。
【図１９】第３の実施例のスライドテーブルの側面図である。
【図２０】同摺動動作を示す側面図である。
【符号の説明】
１０  チューナ
１１  カセットデッキ
１２  ＣＤプレーヤ
１３  スピーカボックス
１７  蓋体
１８  側板
１９  支点ピン
２０  付勢ばね
２３  保持リング
２４  チャッキングプレート
２５  ターンテーブル
２８  セグメントギヤ
２９  欠歯部
３０  ダンパ
３１  ピニオン
３４  フレーム
３５、３６  リング状突起
３７  支軸
３９、４０  条溝
４１  押圧部
４３  回転規制部
４５、４６  歯
５０  カセット蓋
５１  支軸
５２  テープカセット
５３  押えばね
５７  ＣＤプレーヤ
５８  スライドテーブル
６０  ラックギヤ
【図１】
0003702955.tif 000002
【図２】
0003702955.tif 000003
【図３】
0003702955.tif 000004
【図４】
0003702955.tif 000005
【図５】
0003702955.tif 000006
【図６】
0003702955.tif 000007
【図７】
0003702955.tif 000008
【図８】
0003702955.tif 000009
【図９】
0003702955.tif 000010
【図１０】
0003702955.tif 000011
【図１１】
0003702955.tif 000012
【図１２】
0003702955.tif 000013
【図１３】
0003702955.tif 000014
【図１４】
0003702955.tif 000015
【図１５】
0003702955.tif 000016
【図１６】
0003702955.tif 000017
【図１７】
0003702955.tif 000018
【図１８】
0003702955.tif 000019
【図１９】
0003702955.tif 000020
【図２０】
0003702955.tif 000021